(57)【特許請求の範囲】
【請求項１】
開口部付の第１外壁部と、
前記第１外壁部と所定間隔をもって屋外側に形成される第２外壁部と、
前記第１外壁部および前記第２外壁部の間で、前記開口部下端よりも下方に形成される床部と、
を備える屋外床構造であって、
前記床部は、上部開口を有し前記第１および第２外壁部の防火部材と連続状態にされる防火防水材からなる箱状部材の底部にて形成され、
前記開口部の下端よりも下方の、前記第１および第２外壁部の対向面には、前記箱状部材を受ける第１および第２支持部材が設けられ、
前記第１および第２支持部材には、前記箱状部材を支持する補強床部材が取り付けられ、
前記第１外壁部は、その屋外側に予め貼付された第１防水シートを有し、
前記第２外壁部は、その屋内側に予め貼付された第２防水シートを有し、
前記補強床部材は、その上面に予め貼付された第３防水シートを有し、
前記第１および第２防水シートと、前記第３防水シートとの隣接部に重ね代を有することを特徴とする屋外床構造。
【請求項２】
請求項１において、
前記第１および第２の支持部材の対向面には、前記補強床部材を支持する受け部が設けられ、
前記補強床部材は、前記第１および第２支持部材の間で、前記受け部に支持されることを特徴とする屋外床構造。
【発明の詳細な説明】
【０００１】
【発明の属する技術分野】
本発明は、屋外に設けられる床構造に関する。
【０００２】
【関連技術および発明が解決しようとする課題】
従来、屋外に床構造を設ける場合は、防水および防火処理のために、防水シートや防火材等の各層を設け、防水と防火とを別々に処理することとしていたため、複雑な構造となって、その施工に多くの工数を要するという問題点があった。
【０００３】
また、それらの作業は、殆どの部分が現場で行われていたため、多くの現場施工工数を要し、しかも、複雑な作業であるため、熟練工を必要とするという問題点があった。
【０００４】
本発明は、上記のような問題点に鑑みてなされたものであって、その目的は、簡単な構造でありながら、防水および防火の機能を持つ屋外床構造を提供することにある。
【０００５】
また、本発明の他の目的は、熟練工に頼ることなく施工可能で、しかも、現場施工工数を削減することができる屋外床構造を提供することにある。
【０００６】
【０００７】
【課題を解決するための手段】
請求項１に記載の発明に係る屋外床構造は、
開口部付の第１外壁部と、
前記第１外壁部と所定間隔をもって屋外側に形成される第２外壁部と、
前記第１外壁部および前記第２外壁部の間で、前記開口部下端よりも下方に形成される床部と、
を備える屋外床構造であって、
前記床部は、上部開口を有し前記第１および第２外壁部の防火部材と連続状態にされる防火防水材からなる箱状部材の底部にて形成され、
前記開口部の下端よりも下方の、前記第１および第２外壁部の対向面には、前記箱状部材を受ける第１および第２支持部材が設けられ、
前記第１および第２支持部材には、前記箱状部材を支持する補強床部材が取り付けられ、
前記第１外壁部は、その屋外側に予め貼付された第１防水シートを有し、
前記第２外壁部は、その屋内側に予め貼付された第２防水シートを有し、
前記補強床部材は、その上面に予め貼付された第３防水シートを有し、
前記第１および第２防水シートと、前記第３防水シートとの隣接部に重ね代を有することを特徴とする。
【０００８】
請求項１に記載の発明によれば、第１および第２外壁部の間に形成される床部は、第１および第２外壁部の対向面に設けられる第１および第２支持部材に支持され防火防水部材からなる箱状部材の底部によって形成され、第１および第２外壁部の防火部材と連続状態にされる。したがって、屋外に位置し防火防水機能を持つ床部を、入隅部等の処理を含む複雑な防火防水処理を必要とすることなく効率的に形成可能で、しかも第１および第２外壁部の防火防水が維持される屋外床構造を得ることができる。
【０００９】
【００１０】
また、床部である箱状部材の底部が、補強床部材によって支持補強されるため、箱状部材の底部に必要とされる強度の軽減が可能で、それに伴うコストの削減が可能となる。
さらに、第１外壁部、第２外壁部、および補強床部材には、それぞれ第１、第２、および第３防水シートが予め貼付されており、第１、第２および第３防水シートが互いに隣接する部分には、重ね代が設けられている。したがって、第１および第２外壁部を立設し、補強床部材を敷設して、第１、第２、および第３防水シートの隣接部を互いに接合することによって補強床部材上面およびその近傍の壁部における防水処理を行うことができ、箱状部材による防火防水処理とともに、二重の防水処理を有する屋外の床部を容易かつ迅速に得ることが可能となる。
【００１１】
請求項２は、請求項１に記載の発明に係る屋外床構造において、
前記第１および第２の支持部材の対向面には、前記補強床部材を支持する受け部３３，４７が設けられ、
前記補強床部材は、前記第１および第２支持部材の間で、前記受け部に支持されることを特徴とする屋外床構造の発明を定義している。
【００１２】
請求項２に記載の発明によれば、補強床部材は、第１および第２支持部材の間に配置されて受け部に支持され、補強床部材の上部には箱状部材が載置される。これによって、補強床部材の移動は、水平方向には第１および第２支持部材によって規制され、下方向へは受け部に規制され、上方向には上部に設置される箱状部材によって規制される。したがって、補強床部材を受け部上に設置し、その補強床部材の上部に箱状部材を載置するだけで補強床部材を固定することができる。
【００１３】
【００１４】
【００１５】
【００１６】
【００１７】
【発明の実施の形態】
以下、本発明の好適な実施例について、図面を参照しながら、さらに具体的に説明する。
【００１８】
図４は、本実施例の屋外床を構築する前の状態の家屋構造の一例を示す模式的な断面図である。この図に示すように、開口部２７例えば窓のある第１外壁部２６と、第１外壁部２６の屋外側に所定間隔をもって形成される第２外壁部４０とを有する家屋構造において、本実施例の屋外床は形成される。この屋外床は、例えば、フラワーボックスの床部やバルコニーの床部として用いられる。
【００１９】
図１は、本実施例の屋外床構造およびその周囲の構造を示す模式的な断面図である。この図から明らかなように、屋外床である床部１０は、第１外壁部２６と第２外壁部４０との間の、第１外壁部２６の開口部２７の下端よりも下方位置に形成される。この床部１０は、箱状部材１４の底部１５によって形成されている。箱状部材１４は、上部が開口となり、４方に側面を有し、底部１５には排水穴（図示せず）を有する。箱状部材１４は、防火防水材例えば亜鉛メッキ鋼板によって形成されており、後述するように、第１および第２外壁部２６，４０の防火部材である外壁材３０，４４等と連続状態になっている。
【００２０】
第１および第２外壁部２６，４０の対向面の開口部２７の下端よりも下方には、第１および第２支持部材３２，４６が設けられ、それらの対向面には、受け部３３，４７が設けられ、それら受け部３３，４７は、第１および第２支持部材３２，４６の間に配置された補強床部材１９を支持している。そして、その補強床部材１９は、箱状部材１４を支持している。本実施例の補強床部材１９は図１に示すように芯材２０と面材２１とからなる建築パネルとして形成されている。なお、補強床部材１９は必ずしも建築パネルでなくともよく、強度が十分であれば単なる板材等であってもよい。
【００２１】
このように、本実施例によれば、屋外に位置し防火防水機能を持つ床部１０を、複雑な防火防水処理を必要とすることなく効率的に形成可能でき、しかも第１および第２外壁部２６，４０の防火防水が維持される屋外床構造を得ることができる。
【００２２】
また、本実施例によれば、床部１０である箱状部材の底部１５が、補強床部材１９によって支持補強されるため、箱状部材１４の底部１５に必要とされる強度の軽減が可能で、それに伴うコストの削減が可能となる。
【００２３】
さらに、本実施例によれば、補強床部材１９の移動は、水平方向には第１および第２支持部材３２，４６によって規制され、下方向へは受け部３３，４７に規制され、上方向には上部に設置される箱状部材１４によって規制される。したがって、補強床部材１９を受け部３３，４７上に設置し、その補強床部材１９の上部に箱状部材１４を載置するだけで補強床部材１９を固定することができる。
【００２４】
次に、本発明の屋外床構造の構築をその工程にしたがって説明する。本発明の屋外床は、図４に断面図として示したように、開口部２７付の第１外壁部２６の屋外側に構築される。
【００２５】
まず、第１外壁部２６の屋外側に所定間隔をもって第２外壁部４０を立設する。
【００２６】
そして、図２に示すように、第１外壁部２６の開口部２７の下端よりも下方の、第１および第２外壁部２６，４０の対向面に、第１および第２支持部材３２，４６を取り付ける。なお、第１および第２支持部材３２，４６は、予め第１および第２外壁部２６，４０に取り付けてあってもよい。また、第１外壁部２６の屋外側には予め第１防水シート２８が貼付されており、第２外壁部４０の屋内側には予め第２防水シート４２が貼付されている。これら防水シート２８，４２は、それぞれ第１支持部材３２および第２支持部材４６と接する部分でほぼ直角に折り曲げられ、それらの支持部材３２，４６の上面を覆い、その先は重ね代２９，４３の部分となっている。
【００２７】
次に、第１および第２支持部材３２，４６の間に位置し、受け部３３，４７を介して第１および第２支持部材３２，４６に支持される補強床部材１９を設置する。補強床部材１９の上面には、予め第３防水シート２２が貼付されており、第３防水シート２２と、第１および第２防水シート２８，４２との隣接部は、第１および第２防水シート２８，４２に設けられた前述の重ね代２９，４３を第３防水シート２２上に位置させて互いに重ね合わせられる。第１、第２、および第３防水シート２８，４２，２２は、防水性を有するシート例えば塩化ビニル樹脂のシートによって形成される。各防水シート２８，４２，２２の隣接部においては、接着や溶着等によって互いに水密に接合される。
【００２８】
そして次に、上部が開口となっている箱状部材１４を、補強床部材１９に支持させて設置する。箱状部材１４は、防火防水材例えば亜鉛メッキ鋼板で形成されており、第１および第２外壁部２６，４０の防火部材と連続状態にされる。すなわち、図３に分解断面図として示すように、上記工程で設置された箱状部材１４の上端部に重ねて外壁材３０，４４が第１および第２外壁部２６，４０の対向面に貼付され、外壁材３０，４４の上端部を覆って笠木５１あるいはサッシ枠２７が固定されることによって、防火処理の連続性が保たれる。
【００２９】
なお、箱状部材１４の上端部から連続して第１および第２外壁部２６，４０に貼付される防火処理のための部材は外壁材３０，４４、笠木５１、サッシ枠３６等に限られない。防火性能を有する部材であれば、例えばトタン板やモルタルであってもよい。
【００３０】
また、箱状部材１４の底部に位置する排水穴（図示せず）からの排水は、図示しないが、パイプ等を介して屋外の排水溝等に導かれる。
【００３１】
このようにして、図１に模式的な断面図として示した、本実施例の屋外床構造が構築される。
【００３２】
上述したように、本実施例によれば、第１外壁部２６から所定間隔をあけて第２外壁部４０を立設し、補強床部材１９を敷設して、第１、第２、および第３防水シート２８，４２，２２の隣接部を互いに接合することによって補強床部材１９上面およびその近傍の壁部２６，４０における防水処理を行うことができる。したがって、箱状部材１４による防水処理とともに、二重の防水処理を有する屋外床構造を容易かつ迅速に得ることができる。
【００３３】
以上、本発明の実施例を説明したが、本発明は前述した実施例に限定されるものではなく、本発明の要旨の範囲内または特許請求の範囲の均等範囲内で各種の変形実施が可能である。
【００３４】
例えば、上記実施例では、床部１０として箱状部材１４の底部１５を用いた例を示したが、補強床部材１９を床部１０として用い、箱状部材１４は単独としては床部１０としての強度を持たず、単に防火防水機能のみを持つものとしてもよい。
【００３５】
また、上記実施例では、床部１０とその付近は、箱状部材１４と、第１、第２、および第３防水シート２８，４２，２２によって二重に防水処理される例を示したが、箱状部材１４のみによっても防水が可能なため、箱状部材がある部分の第１、第２、および第３防水シート２８，４２，２２はなくてもよい。
【００３６】
さらに、上記実施例では、図２等に示したように、第１および第２防水シート２８，４２に重ね代２９，４３を設け、上面に第３防水シート２２が貼付された補強床部材１９が設置された後に、第１および第２防水シート２８，４２の重ね代２９，４３を、補強床部材１９上に貼付された第３防水シート２２に重ね合わせて、互いに水密に接合する例を示した。しかし、図５に示すように、第１および第２防水シート２８，４２に重ね代２９，４３を設ける代わりに、補強床部材１９上の第３防水シート２２の縁部に重ね代２３，２３を設け、補強床部材１９を設置した後に、重ね代２３，２３を第１および第２防水シート２８，４２に重ね合わせた後、互いに水密に接合するようにしてもよい。このようにすると、補強床部材１９を設置する際に、第１および第２防水シート２８，４２の重ね代２９，４３が第１および第２支持部材３２，４６と補強床部材１９との間に挟み込まれないように、重ね代２９，４３を持ち上げる必要がない。
【００３７】
また、上記実施例では、第１外壁部２６の開口部２７下端および第２外壁部４０の上端の付近まで箱状部材１４が延びている例を示したが、箱状部材１４の上端部と重なり合うように外壁材３０，４４等を配置している限り防火処理の連続性を保つことができるため、箱状部材１４の高さを低くし、それに伴って露出される第１および第２外壁部２６，４０の部分を、外壁材３０，４４等の防火部材で覆うこともできる。このようにすれば、箱状部材１４は浅いものでよいため、箱状部材１４のコストを節減することができる。
【００３８】
さらに、上記実施例では、補強床部材１９が、第１および第２支持部材３２，４６の間に配置され、第１および第２支持部材３２，４６とは別の部材である受け部３３，４７を介して第１および第２支持部材３２，４６に支持されている例を示したが、補強床部材１９の奥行きを長くし、補強床部材１９が第１および第２支持部材３２，４６上に直接支持されるようにしてもよい。
【００３９】
また、上記実施例では、第１および第２支持部材３２，４６とは別の部材として、補強床部材１９を支持するための受け部３３，４７を設ける例を示したが、第１および第２支持部材３２，４６の上部の対向する部分を縦断面矩形形状に切欠くことによって形成された受け部の間に補強床部材１９を位置させ、その受け部の下面を形成する第１および第２支持部材３２，４６によって補強床部材１９が支持されるようにしてもよい。
【００４０】
さらに、上記実施例では、第１外壁部および第２外壁部２６，４０が上部階の外壁部である例を示したが、第１外壁部および第２外壁部２６，４０は１階の外壁部であってもよい。
【００４１】
【発明の効果】
以上説明したように、請求項１に記載の発明によれば、屋外に位置し防火防水機能を持つ床部を、複雑な防火防水処理を必要とすることなく効率的に形成可能で、しかも第１および第２外壁部の防火防水が維持される屋外床構造を得ることができる。
【００４２】
また、床部である箱状部材の底部が、補強床部材によって支持補強されるため、箱状部材の底部に必要とされる強度の軽減が可能で、それに伴うコストの削減が可能となる。
さらに、第１および第２外壁部を立設し、補強床部材を敷設して、第１、第２、および第３防水シートの隣接部を互いに接合することによって補強床部材上面およびその近傍の壁部における防水処理を行うことができ、箱状部材による防火防水処理とともに、二重の防水処理を有する屋外の床部を容易かつ迅速に得ることが可能となる。
【００４３】
請求項２に記載の発明によれば、補強床部材を受け部上に設置し、その補強床部材の上部に箱状部材を載置するだけで補強床部材を固定することができる。
【００４４】
【００４５】
【図面の簡単な説明】
【図１】  実施例の屋外床構造を示す模式的な縦断面図である。
【図２】  実施例の屋外床構造の組立工程を示す模式的な縦断面図である。
【図３】  実施例の屋外床構造の組立工程を示す模式的な縦断面図である。
【図４】  実施例の屋外床構造が構築される家屋構造の例を示す縦断面図である。
【図５】  変形例の屋外床構造の組立工程を示す模式的な縦断面図である。
【符号の説明】
１０  床部
１４  箱状部材
１９  補強床部材
２２  第３防水シート
２６  第１外壁部
２７  開口部
２８  第１防水シート
２９，４３，２３  重ね代
３２  第１支持部材
３３，４７  受け部
４０  第２外壁部
４２  第２防水シート
４６  第２支持部材
【図１】
0003694105.tif 000002
【図２】
0003694105.tif 000003
【図３】
0003694105.tif 000004
【図４】
0003694105.tif 000005
【図５】
0003694105.tif 000006